(57)【要約】【課題】  下地材に対して、パネルによりかかる荷重、及びパネルの交換作業によりかかる荷重を軽減することのできるパネルの取付構造を提供する。【解決手段】  建物等の壁面にパネルを取り付けるための取付構造であって、上記壁面には、第一のレールが取り付けられ、上記第一のレールには、上記第一のレールの溝に沿って回動可能な回動体が取り付けられ、上記回動体には、第三の係合片が取り付けられ、上記パネルには、上記第三の係合片と係合可能な第四の係合片が取り付けられ、上記第三の係合片と上記第四の係合片とを係合させて、上記壁面に上記パネルを着脱可能に取り付ける。【選択図】  図１１
2007032270.tif 000002
【特許請求の範囲】
【請求項１】
建物等の壁面にパネルを取り付けるための取付構造であって、
上記壁面には、第一のレールが取り付けられ、
上記第一のレールには、上記第一のレールの溝に沿って回動可能な回動体が取り付けられ、
上記回動体には、第三の係合片が取り付けられ、
上記パネルには、上記第三の係合片と係合可能な第四の係合片が取り付けられ、
上記第三の係合片と上記第四の係合片とを係合させて、上記壁面に上記パネルを着脱可能に取り付ける、
ことを特徴とするパネル取付構造。
【請求項２】
建物等の壁面にパネルを取り付けるための取付構造であって、
上記壁面には、第二のレールが取り付けられ、
上記パネルには、上記第二のレール上をスライドするスライド体が取り付けられ、
上記第二のレールに上記スライド体を着脱可能に係止させて、上記内壁ボードに上記パネルが着脱可能に取り付けられる、
ことを特徴とするパネル取付構造。
【発明の詳細な説明】
【技術分野】
【０００１】
本発明は、壁に着脱可能に取り付けられるパネルの取付構造にかかり、内装壁の面積に対し所定のユニットに分割されたパネルを複数取り付けることで、内装壁の形状や家具の配置等に合わせて自在に配置させると共に、簡易に好みの模様の内装にするのに好適なものであって、特に、石膏ボード等の脆弱な材質からなる下地材であっても、当該下地材にかかる荷重を軽減して取り付けることができる技術に関する。
【背景技術】
【０００２】
住宅、マンション等の建物の内装は部屋の雰囲気や住み心地を大きく左右するものである。この内装は、一般的には石膏ボードやベニヤ板等の下地材の上に壁紙や漆喰などの仕上材を貼付あるいは塗布することによって行われている。このような作業は専門知識と技術をもたない一般人には難しく、専門の業者等によるのが一般的であるが、家具の配置や住人の好みに応じて自在にアレンジすることができれば便利である。
また、上記の通り、内装は部屋の雰囲気等を大きく変えるものであるから、人によって好みは多種多様であり、様々なバリエーションの内装を簡易に行うことができれば多様な要望に簡易に応えることができる。
また、例えば壁紙の一部が汚れたり、破損したりしたときに、壁紙全体を張り替えるのは面倒な上にコストもかかるが、当該一部だけを新しくできれば便宜である。
【０００３】
そこで、内装を簡易かつ適格に実施できる従来技術として、建物の内壁部に、内装壁パネルを着脱自在に取り付ける内装壁パネルの取付け構造であって、内装壁パネルは、壁部の内装される部分の広さに相当する広さのパネル基材が所定の広さ毎に分割して形成され、かつ、それぞれのパネル基材の表面に内装仕上げ材が設けられ、さらに裏面の少なくとも四隅に第一嵌挿片が形成された取付部が設けられ、前記建物の壁部には、前記内装壁パネルの第一嵌挿片に雌雄嵌合状でありさらに挿脱自在に嵌挿する第二嵌挿片を有する受け部材が設けられ、第一、第二嵌挿片を挿脱自在に嵌挿しつつ前記内装壁パネルを着脱自在に建物の壁部に取り付けることにより前記建物の壁部を内装することを特徴とするものが提案されている（特許文献１参照）。
【０００４】
【特許文献１】特開２００５−３６５７３号公報
【発明の開示】
【発明が解決しようとする課題】
【０００５】
しかしながら、上述の特許文献1記載の発明では、第一及び第二の嵌挿片が単純に挿脱自在に嵌挿されているだけであるから、パネルの重さや壁面の揺れなどの外部からの力に対して、パネルが嵌挿片から抜けて、パネルが外れて落下してしまうという恐れがあった。
また、複数のパネルを設置したり、取り付ける場合も、隙間なくパネルを配置しようとすると、パネル間にスペースがないため配置が難しく、パネルの取付又は取り外しの作業効率が落ちてしまうという問題があった。
【０００６】
また、建物の下地材としては、一般に石膏ボード、ベニヤ板やパーチクルボードのような比較的脆弱な材質が用いられており、このような下地材にパネルを取り付けた場合には、当該パネルによる荷重によって上記下地材が壊れやすいという問題がある。特に、パネルの取り付けに直接釘やネジを用いた場合には、釘孔あるいはネジ孔周辺で破壊が起こり、大きな荷重に耐えることができない。
さらに、交換可能なパネルを取り付ける場合においては、当該パネルの交換作業による負荷によって破壊がより早く進行し、取付物の緩みやガタつきが発生しやすいという問題があった。
【０００７】
本発明は、上述のような課題及び問題点を解決するためのなされたものであって、パネルが壁面から落下してしまう危険性がなく、着脱も容易にできるパネルの取付構造を提供することを目的とする。
【課題を解決するための手段】
【０００８】
上記目的を達成するため、本発明の一の観点に係るパネル取付構造は、建物等の壁面にパネルを取り付けるための取付構造であって、上記壁面には、第一のレールが取り付けられ、上記第一のレールには、上記第一のレールの溝に沿って回動可能な回動体が取り付けられ、上記回動体には、第三の係合片が取り付けられ、上記パネルには、上記第三の係合片と係合可能な第四の係合片が取り付けられ、上記第三の係合片と上記第四の係合片とを係合させて、上記壁面に上記パネルを着脱可能に取り付けることを特徴とする。
【０００９】
本発明の別の観点に係るパネル取付構造は、建物等の壁面にパネルを取り付けるための取付構造であって、上記壁面には、第二のレールが取り付けられ、上記パネルには、上記第二のレール上をスライドするスライド体が取り付けられ、上記第二のレールに上記スライド体を着脱可能に係止させて、上記内壁ボードに上記パネルが着脱可能に取り付けられることを特徴とする。
【発明の効果】
【００１０】
本発明によれば、内装についての専門知識や技術をもたない一般人であっても、容易に、かつ多様なデザインに内装を変更することができる。
また、一般に広く使用されている石膏ボードやベニヤ板等の脆弱な材質の下地材に対して、パネルによりかかる荷重、及びパネルの交換作業を軽減して、下地材の破壊を防ぐことができる。
【発明を実施するための最良の形態】
【００１１】
以下、本発明の実施形態を図面により説明する。
図１は、本発明の第一の実施形態に係るパネルの取付構造を、壁パネルとして用いた一例を示した図である。
図１に示すように、本実施形態に係る壁パネル１の取付構造においては、内壁ボード２に対し、複数の壁パネル１が着脱自在に取り付けられている。
【００１２】
壁パネル１は、内壁ボード２の大きさに対して、所定の単位に分割された大きさを有している。壁パネル１及び内壁ボード２の寸法は、例えば、内壁ボード２は１８００ｍｍ×９００ｍｍ、壁パネル１は、３００×３００ｍｍ、６００×６００ｍｍ、あるいは１８００ｍｍ×９００ｍｍ等とすることができる。
この壁パネル１の材質は、例えば紙製や木製など、各種の材質のものとすることができる。
また、壁パネル１は、図２に示すように、表面に仕上材を貼付あるいは塗布することができる。仕上材には、例えば、壁紙、漆喰、珪藻土、紙材（板紙、和紙など）、木材（コルク、竹など）、石材、コンクリート、レンガ、タイル、布、皮革、人工皮革、ガラス、プラスチック、金属などを用いることができる。
【００１３】
壁パネル１の背面には、図３に示すように、係合片３ａが四隅に取り付けられている。この係合片３ａは、例えば、図４に示す面ファスナを用いることができる。面ファスナは、ポリエチレンやポリプロピレンなどのポリオレフィン系樹脂などの硬質で、かつ高弾性を有する樹脂でできた複数の係合素子３１からできており、係合素子３１はその先端部に、その支柱部よりも大径の略半球体状をした突起を有している。そして、図５に示すように、この面ファスナ同士を対向させて、係合素子３１先端の半球体状部を引っ掛かけることで、面ファスナ同士が係合する。
なお、取り付けは接着剤やネジ等によって行うこともできる。
また特許は半球状だけでなく、球状であってもよい。
【００１４】
内壁ボード２は、石膏ボード、ベニヤ板やパーチクルボードなど、建物の下地材として一般的に使用されているものである。これらは、耐火性等に優れるため広く使用されているが、衝撃に対して比較的脆弱な材質である。
【００１５】
図１及び図６に示すように、内壁ボード２には壁パネル１の背面の四隅に取り付けられた係合片３ａの位置と対応する所定の箇所にアンカー４が埋め込まれている。そして、図６及び図７に示すように、アンカー４には係合片３ｂが取り付けられている。
係合片３ｂは、係合片３ａと同じ面ファスナを用いることができ、係合片３ａと係合片３ｂとを係合させることで、壁パネル１を内壁ボード２に取り付けることができる。なお、本例では、係合片３ｂの中央部にアンカー４のネジ棒４１を挿通させるための挿通孔３ｃが設けられている。また、係合片３ａ及び係合片３ｂは、それぞれ図３及び図７において四角形状あるいは円形状に構成されているが、係合機能を果たし得る限り、形状はこれらに限定されるものではない。
また、壁パネル１が壁面に複数取り付けられる際には壁パネル１と隣り合ういずれかの壁パネル１との間に所定の隙間が形成されている。図1の例では、壁パネル１は、全ての隣り合う壁パネル１との間に、例えば、約５〜１０ｍｍ程度の一定の隙間が設けられている。従って、壁パネル１を取り外すときには、その隙間から工具などを挿入して、壁パネル１を前面に引っ張るようにして力をかけることで、係合片３ａと３ｂの係合が外れるようになる。
なお、全ての隣り合う壁パネル１との間で隙間を設ける必要はなく、少なくともいずれかの壁パネル１との間で隙間ができ、底から工具や手を入れて壁パネルを外せるようにすればよい。
アンカー４は、石膏ボード等に用いられる、いわゆるボードアンカーを用いるのが好ましい。このアンカー４は、例えば、図８に示すように、ネジ棒４１、先端部材４２からなる。ネジ棒４１は、雄ネジがきられている。また、先端部材４２は、先部４２ａ、抜止片４２ｂからなる。先部４２ａには、ネジ棒４１と螺合する雌ネジが切られたネジ孔が開いた構造となっている。抜止片４２ｂは、可撓性を有し、内壁ボード２に形成した挿通孔５の裏面側周縁部に対して係止される開角状態と、内壁ボード２の挿通孔５に対して挿通可能な閉角状態とになるように取り付けられている。
【００１６】
次に、内壁ボード２への壁パネル１の取付工程について説明する。
まず、予め、図３に示すように、壁パネル１の裏面の四隅に係合片３ａを取り付けておく。
そして、図８に示すように、内壁ボード２の所定の箇所に、ドリル等を用いてアンカー４を埋め込むための挿通孔５を開ける。それから、挿通孔３ｃを介して係合片３ｂを挟んで先部４２ａのネジ孔にネジ棒４１を緩く螺合させ、抜止め片４２ｂを挿通孔５に挿通可能となるよう閉角状態として、挿通孔５に先端部材４２全体を圧入する。挿通孔５の裏面側に先端部材４２全体を突出させることで、先端部材４２の各抜止片４２ｂが挿通孔５の裏面側周縁部に対して係止される開角状態に拡開する。
そして、ネジ棒４１をドライバー等により螺合方向に回動させて、内壁ボード２にアンカー４を埋め込み固定することができる。
【００１７】
図９に示すように、アンカー４が埋め込まれることにより内壁ボード２に固定された係合片３ｂに、壁パネル１の裏面四隅に取り付けられた係合片３ａを係合させて、内壁ボード２に壁パネル１を取り付けることができる。なお、図１０に示すように、壁パネル１は、４つの係合片３ａと係合する係合片３ｂが壁パネル１に隠れてしまう構造となっている。
【００１８】
これにより、壁パネル１を交換するだけで、容易に、かつ多様なデザインに内装を変更することができる。
また、壁パネル１の取り付けに直接釘やネジを用いないので、石膏ボード等の比較的脆弱な材質の下地材であっても、釘孔あるいはネジ孔周辺で破壊が起こりにくく、大きな荷重に耐えることができる。
【００１９】
また、上述の実施形態では、アンカーを使った取付方法であるが、これに変えて係合片３ｂの挿通孔３ｃにネジやビスを挿通させて、壁面に止めするだけであってもよい。
また、上述の実施形態では、石膏ボードに対してパネルを取り付ける例について説明したが、本発明はこれに限定されずに、例えば、コンクリートの壁面や、木製の壁面などにとりつけてもよし、家具やパーティションなどに取り付けてもよい。
【００２０】
次に、本発明の第二の実施形態に係る壁パネル１の取付構造の一例を図１１、図１２及び図１３により説明する。本例は、図１１に示すように、内壁ボード２の所定の箇所にレール６が複数、平行に取り付けられ、レール６上を回動する回動体７に壁パネル１を係合させて、内壁ボード２に壁パネル１を取り付けるものである。
【００２１】
図１２は、本例に係る取付構造の斜視図である。また、図１３は、図１２における線分ｆ−ｆ´の断面図であり、レール６、回動体７及び壁パネル１の取付構造を示している。
図１２及び図１３に示されるように、内壁ボード２にはレール６がアンカー４により取り付けられている。
また、レール６には、そのレール溝６ａに回動体７が回動可能に取り付けられている。この回動体７は、回動片７ａ、雄ネジが切られたネジ８、係合片３ｂからなる。回動片７ａは図示しないベアリングなどを介した円形の滑車であり、中心部には雌ネジが切られたネジ孔７ｂが開いている。
回動体７は、レール溝６ａに回動片７ａを回動可能に嵌め込んだ上、係合片３ｂの挿通孔３ｃを介して係合片３ｂを挟んでネジ８をネジ孔７ｂに緩く螺合させることによりレール６に取り付けられる。
【００２２】
壁パネル１を内壁ボード２に取り付けるときは、回動体７を所定の位置に移動させ、係合片３ｂに対し係合片３ａを係合させる。
なお、壁パネル１を取り付ける前に、ネジ８をしっかりと締めて固定することができる。また、緩めたままであれば、壁パネル１を内壁ボード２に取り付けた状態で動かすことができる。
これにより、レール６に沿って壁パネル１を自由に動かすことができる。また、レールを取り付けたことにより内壁ボード２のアンカー４付近にかかる荷重が均一にすることができ、内壁ボード２の破壊を防ぐことができる。
【００２３】
本例において、レール６は、水平方向のみならず、鉛直方向、あるいはマス目状に配設することもできる。これにより、自由に壁パネル１を移動させることができる。
また、係合片３ａ及び係合片３ｂの形状は、本実施例においては円形状としたが、四角形状等の多角形状としてもよい。
【００２４】
図１４は、本発明の第三の実施形態に係る壁パネル１の取付構造の一例を示した図である。
図１４に示すように、本実施形態に係る壁パネル１の取付構造は、内壁ボード２の所定の箇所にレール９を複数、平行に取り付けると共に、壁パネル１の裏面には、レール９に沿ってスライドする上スライド体１０及び下スライド体１１を、それぞれ壁パネル１の上端と下端に、上端縁又は下端縁に沿って取り付けたものである。
レール９には、上係止受片９１及び下係止受片９２が設けられており、上係止片９１及び下係止片９２の背面にはそれぞれレール溝９１ａ、レール溝９２ａが形成されている。
また、上スライド体１０及び下スライド体１１には、それぞれ、上係止片１０１及び下係止片１１１が設けられており、上係止片１０１及び下係止片１１１の背面にはそれぞれスライド溝１０１ａ、スライド溝１１１ａが形成されている。
【００２５】
内壁ボード２に取り付けられるレール９は、前述の第一の実施形態と同様、内壁ボード２上にアンカー４を埋め込むことによって取り付けられている。なお、アンカー４は、少なくともレール９の四隅に埋め込まれているが、壁パネル１の重さによって内壁ボード２にかかる荷重を適度に分散させるため、適所に埋め込むこともできる。
【００２６】
そして、内壁ボード２に壁パネル１を取り付けるときは、レール溝９２ａに上係止片１０１を差し入れると共に、スライド溝１０１ａに下係止受片９２を差し入れ、さらに、レール溝９１ａに下係止片１１１を差し入れると共に、スライド溝１１１ａに上係止受片９１を差し入れて係止させる。
同様にして複数枚の壁パネル１を内壁ボード２に取り付けることができる。
【００２７】
これにより、レール９に沿って壁パネル１を自由に動かすことができる。また、レールを取り付けたことにより内壁ボード２のアンカー４付近にかかる荷重が均一にすることができ、内壁ボード２の破壊を防ぐことができる。また、壁パネル１の交換の際に、内壁ボード２を引っ張ったりすることがないので、内壁ボード２に余計な荷重がかからなくて済む。
【００２８】
なお、本第三の実施例においては、スライド溝１１１ａ内に挟持するようにコロを取り付け、コロの回転によって壁パネル１がレール溝９１ａに沿ってスムーズにスライドするようにしてもよい。
また、レール９、上スライド体１０及び下スライド体１１は、壁パネル１の上端縁及び下端縁に沿って、水平方向に配置したが、これは、壁パネル１の左端縁及び右端縁に沿って、鉛直方向に配置するものとしてもよい。またレールはネジなどにより直接壁面に取り付けてもよい。
【００２９】
なお、上述の各実施形態では、面ファスナを用いた例について説明したが、これに替えて、例えば、Ｌａｍｅｌｌｏ社のインビス（登録商標）を用いて、ネジとビスを磁力により締め付けることで取り付けを行っても良い。
【図面の簡単な説明】
【００３０】
【図１】本発明の第一の実施形態に係る壁パネル１の取付構造の一例を示す斜視図である。
【図２】本実施例に係る壁パネル１の表面の一例を示す正面図である。
【図３】本実施例に係る壁パネル１の裏面の一例を示す正面図である。
【図４】本実施例に係る係合片３ａ、３ｂに用いられる面ファスナの一例を示す側面図である。
【図５】本実施例に係る係合片３ａ、３ｂの係合状態の一例を示す側面図である。
【図６】本実施例において、内壁ボード２にアンカー４が埋め込まれた状態を示す側面図である。
【図７】本実施例において、係合片３ｂが取り付けられた内壁ボード２を示す斜視図である。
【図８】本実施例において、内壁ボード２に埋め込まれたアンカー４を示す斜視図である。
【図９】本実施例において、内壁ボード２に壁パネル１を取り付けた状態を示す側面図である。
【図１０】本実施例において、内壁ボード２に壁パネル１を取り付けた状態を示す斜視図である。
【図１１】本発明の第二の実施形態に係る壁パネル１の取付構造の一例を示す斜視図である。
【図１２】本実施例において、内壁ボード２に壁パネル１を取り付け状態を示す斜視図である。
【図１３】本実施例において、図１２中のｆ−ｆ´断面を示す断面図である。
【図１４】本発明の第三の実施形態に係る壁パネル１の取付構造の一例を示す斜視図である。
【符号の説明】
【００３１】
１・・・壁パネル、２・・・内壁ボード、３ａ・・・係合片、３ｂ・・・係合片、３ｃ・・・挿通孔、４・・・アンカー、５・・・挿通孔、６・・・レール、６ａ・・・レール溝、７・・・回動体、７ａ・・・回動片、７ｂ・・・ネジ孔、８・・・ネジ、９・・・レール、３１・・・係合素子、４１・・・ネジ棒、４２・・・先端部材、４２ａ・・・先部、４２ｂ・・・抜止め片、９１・・・上係止受片、９１ａ・・・レール溝、９２・・・下係止受片、９２ａ・・・レール溝、１０・・・上スライド体、１０１・・・上係止片、１０１ａ・・・スライド溝、１１・・・下スライド体、１１１・・・下係止片、１１１ａ・・・スライド溝、
【図１】
2007032270.tif 000003
【図２】
2007032270.tif 000004
【図３】
2007032270.tif 000005
【図４】
2007032270.tif 000006
【図５】
2007032270.tif 000007
【図６】
2007032270.tif 000008
【図７】
2007032270.tif 000009
【図８】
2007032270.tif 000010
【図９】
2007032270.tif 000011
【図１０】
2007032270.tif 000012
【図１１】
2007032270.tif 000013
【図１２】
2007032270.tif 000014
【図１３】
2007032270.tif 000015
【図１４】
2007032270.tif 000016